(57)【要約】      （修正有）【課題】半自動式組合せ秤において、計量コンベヤ上に被計量物を載せる際の無駄な動作を削減し、供給能力の向上と供給ミスおよび作業者の疲労低減を図った半自動式組合せ秤を提供する。【解決手段】供給された被計量物品５０を計量して搬送する複数の計量コンベヤ２付き計量装置が互いに並列して配設された半自動式組合せ秤であり、組み合わせ選択の結果排出された被計量物品を受けて一方向へ排出する集合コンベヤ装置４とを備えた組合せ秤であって、人手により上記複数の計量コンベヤ付き計量装置に被計量物品を供給できるように上記組合せ秤の上部に物品貯留供給台５を設けた構造とする。【選択図】図１
0003174113.tif 000002
【実用新案登録請求の範囲】
【請求項１】
供給される被計量物品を計量して搬送する複数の計量コンベヤ付き計量装置が互いに並列して配設されており、上記複数の計量コンベヤ付き計量装置よって計量された計量値に基づいて組合せ演算された結果、選択され排出された被計量物品を受けて一方向へ排出する集合コンベヤ装置を備えた組合せ秤であって、人手により複数の計量コンベヤ付き計量装置に被計量物品を供給できるように物品貯留供給台を上記複数の計量コンベヤ付き計量装置の上部に設けたことを特徴とする半自動式組合せ秤。
【請求項２】
上記物品貯留供給台は集合コンベヤ装置を覆うように上記複数の計量コンベヤ付き計量装置の本体カバー上に設置して設けられ、上記物品貯留供給台の大きさは、長手方向の寸法と幅方向寸法および深さ方向寸法であって、上記複数の計量コンベヤ付き計量装置が互いに並列して配設された全幅方向の長さに相当する長手方向の寸法を有し、上記物品貯留供給台の該長手方向が上記複数の計量コンベヤ付き計量装置に対応しており、上記集合コンベヤ装置の幅寸法の少なくとも２倍の幅方向寸法を有し、更に、上記幅方向寸法の少なくとも４分の１の深さ方向寸法を有し、これら上記長手方向の寸法と上記幅方向寸法と上記深さ方向寸法とにより定まる容積を有する貯留部を形成し、該貯留部を有する物品貯留供給台を備えた請求項１に記載の半自動式組合せ秤。
【請求項３】
請求項１および２に記載の上記物品貯留供給台であって、上記物品貯留供給台の該長手方向には、上記複数の計量コンベヤ付き計量装置に被計量物品が供給できるように上記複数の計量コンベヤに対応して切り欠き開口部を設けたことを特徴とする物品貯留供給台。
【請求項４】
請求項３に記載の上記物品貯留供給台の切り欠き開口部の形状であって、上記切り欠き開口部は上記物品貯留供給台の底面に上記複数の計量コンベヤに対応して半円形の切り欠き開口部を設けたことを特徴とする物品貯留供給台。
【請求項５】
請求項３に記載の上記物品貯留供給台の切り欠き開口部の形状であって、上記切り欠き開口部は上記物品貯留供給台の開口部から上記複数の計量コンベヤに向けて被計量物品が滑落して供給できるように各々シュート形状の開口部を設けたことを特徴とする物品貯留供給台。
【請求項６】
請求項１および２に記載の上記物品貯留供給台であって、上記物品貯留供給台の底面に少なくとも４個所に脚を設け、上記複数の計量コンベヤ付き計量装置の本体カバー上に設置する構造で、上記計量装置の本体カバー上に位置決めプレートを設け、該位置決めプレートに上記脚の下端が着脱容易に設置可能な構造としたことを特徴とする物品貯留供給台。
【考案の詳細な説明】
【技術分野】
【０００１】
この考案は、半自動式組合せ秤において投入能力の向上と投入時の供給ミス・供給作業者の疲労を低減するための物品貯留供給台に関する。
【背景技術】
【０００２】
半自動式組合せ秤は、被計量物の供給は人手によって行われ排出は自動で行われている。これは組合せ秤への被計量物の供給を自動で行うことができない被計量物あるいは自動で行うことに適さない被計量物に対して有効であり、代表的な被計量物は例えばブロイラ（鶏肉）である。
【０００３】
近時、半自動式組合せ秤には特許文献１に示すタイプがある。この半自動式組合せ秤も自動で行うことに適さない被計量物に対して有効なタイプである。排出コンベヤの両側に複数の計量装置を並列に設けたもので、対面した作業者が被計量物品を各々の計量器に手で載せて、組合せが成立したものはランプ表示の指示に従い中央の排出コンベヤに手で載せるものである。この場合、被計量物のストック容器は図示されていないが、トレイ等の容器に入れて作業者の近傍に配置する。
【０００４】
また、半自動式組合せ秤も種々の機種が用いられている。例えば特許文献２の図１に示すものはその外観図であるが本体５においてその上部に天板６が設けられている。天板６には、各計量ホッパに対応して開口された各投入口７が設けられている。ここに開示されている天板６では被計量物品の貯留を行い、人手によって各計量ホッパに対応して開口された各投入口７に被計量物品を投入する。この場合は上部に天板６がストック容器の役目もしている。
【先行技術文献】
【特許文献】
【０００５】
【特許文献１】実開昭５７−００８５３０号公報
【特許文献２】特開２００６−２１４７８４号公報
【考案の概要】
【考案が解決しようとする課題】
【０００６】
上述したように、従来技術では人手により計量ホッパや計量台に被計量物を載せているが、上述した特許文献１の技術では、ストック容器に入れた被計量物品を作業者の側方近傍に置いて、被計量物品の載置作業をすることが推測される。作業者は、被計量物品の秤への載置作業をする度に体を捩ることになり、側方と正面の繰り返し動作は長時間の連続作業であるから過酷であり無理が生ずる。したがって作業能率も悪い。
【０００７】
上述した特許文献２の技術ではストック容器としての機能はあるものの各計量ホッパに対応して開口された各投入口７が設けられているタイプであり、各計量ホッパには投入と言うより押し込むような動作で被計量物品を滑り込ませるので、手で掴んで計量装置に載置するものとは異なり被計量物品が限定される。
【０００８】
更にまた、図７及び図８に示すように、コンベヤ付き半自動式組合せ秤において、被計量物の入った容器を供給作業者の側方に配置した場合、手の移動距離が長いことや振り向き動作を繰り返すことによる疲労が生じ供給能力が低下する。
【０００９】
また、バラもの・油ものなど持ちにくい被計量物品を載せるときは搬送コンベヤや計量コンベヤ上に落下させてしまう供給ミスが生じる。このようなことから計量コンベヤ付き半自動式組合せ秤に最も有用な物品貯留供給台が望まれていた。
【課題を解決するための手段】
【００１０】
上述したような課題を解決するために成されたもので、第１の考案は、供給された被計量物品を計量して搬送する複数の計量コンベヤ付き計量装置が互いに並列して配設された半自動式組合せ秤にであり、上記複数の計量コンベヤ付き計量装置よって計量された計量値に基づいて組合せ演算された結果、選択され排出された被計量物品を受けて一方向へ排出する集合コンベヤ装置を備えた組合せ秤であって、人手により上記複数の計量コンベヤ付き計量装置に被計量物品を供給できるように上記組合せ秤の上部に物品貯留供給台を設けたことを特徴としている。
【００１１】
この態様によると、上記複数の計量コンベヤ付き計量装置に被計量物品を供給できるように上記組合せ秤の上部に物品貯留供給台を設けたので、作業者は体を捩るような動作をすることなく楽に長時間供給作業が継続できる。
【００１２】
第２の考案は、上述した物品貯留供給台は集合コンベヤ装置を覆うように上記複数の計量コンベヤ付き計量装置の本体カバー上に設置して設けられ、上記物品貯留供給台の大きさは、長手方向の寸法と幅方向寸法および深さ方向寸法であって、上記複数の計量コンベヤ付き計量装置が互いに並列して配設された全幅方向の長さに相当する長手方向の寸法を有し、上記物品貯留供給台の該長手方向が上記複数の計量コンベヤ付き計量装置に対応しており、上記集合コンベヤ装置の幅寸法の少なくとも２倍の幅方向寸法を有し、更に、上記幅方向寸法の少なくとも４分の１の深さ方向寸法を有し、これら上記長手方向の寸法と上記幅方向寸法と上記深さ方向寸法とにより定まる容積を有する貯留部を形成し、該貯留部を有する物品貯留供給台を備えた半自動式組合せ秤である。
【００１３】
第２の考案の態様による半自動式組合せ秤は、物品貯留供給台が集合コンベヤ装置を覆うように複数の計量コンベヤ付き計量装置の本体カバー上に設置して設けられているので、各々の計量コンベヤ付き計量装置に物品を能率良く供給することができる。また、上記容積を備えているので充分被計量物品を貯留することができる。
【００１４】
第３の考案は、上記物品貯留供給台であって、上記物品貯留供給台の該長手方向には、上記複数の計量コンベヤ付き計量装置に被計量物品が供給できるように上記複数の計量コンベヤに対応して切り欠き開口部を設けたことを特徴としている。
【００１５】
第３の考案の態様による物品貯留供給台は、該長手方に複数の計量コンベヤに対応して切り欠き開口部を設けたので各々の計量コンベヤ上に能率良く被計量物品を供給することができる。
【００１６】
第４の考案は、上記物品貯留供給台の切り欠き開口部の形状であって、上記切り欠き開口部は上記物品貯留供給台の底面に上記複数の計量コンベヤに対応して半円形の切り欠き開口部を設けたことを特徴としている。
【００１７】
第４の考案の態様による物品貯留供給台は、該長手方に複数の計量コンベヤに対応して半円形の切り欠き開口部を設けたので各々の計量コンベヤ上に能率良く被計量物品を供給することができる。
【００１８】
第５の考案は、上記物品貯留供給台の切り欠き開口部の形状であって、上記切り欠き開口部は上記物品貯留供給台の開口部から上記複数の計量コンベヤに向けて被計量物品が滑落して供給できるように各々シュート形状の開口部を設けたことを特徴としている。
【００１９】
第５の考案の態様による物品貯留供給台は、物品貯留供給台の開口部から上記複数の計量コンベヤに向けて被計量物品が滑落して供給できるように各々シュート形状の開口部を設けたので、滑らかに計量コンベヤ上に供給することができる
【００２０】
第６の考案は、上記物品貯留供給台であって、上記物品貯留供給台の底面に少なくとも４個所に脚を設け、上記複数の計量コンベヤ付き計量装置の本体カバー上に設置する面は、上記計量装置の本体カバー上に位置決めプレートを設け、該位置決めプレートに上記脚の下端が着脱容易に設置可能な構造としたことを特徴とする物品貯留供給台である。
【００２１】
第６の考案の態様による物品貯留供給台は、計量コンベヤ付き計量装置の本体カバー上に着脱容易に設置できるため、計量装置の本体カバー上から容易に取り外し別の場所に運び充分に洗浄することができる。物品貯留供給台の材質は耐食性やサニタリの面からステンレスにすることが望ましいが、軽量であることや計量コンベヤの状況が確認しやすいことから透明樹脂材料とすることもできる。
【考案の効果】
【００２２】
このように本考案の半自動式組合せ秤は、複数の計量コンベヤ付き計量装置が互いに並列して配設された組合せ秤の物品貯留供給台であり、集合コンベヤ装置を覆うように上記複数の計量コンベヤ付き計量装置の本体カバー上に設置したので、作業者に無理な姿勢や無駄な動作をさせることがない、また疲労やストレスが蓄積することがなく長時間の作業が継続できる。
【図面の簡単な説明】
【００２３】
【図１】（ａ）は本考案の半自動式組合せ秤を上から見た概略の平面図であり、（ｂ）は同半自動式組合せ秤の概略の正面図、（ｃ）は同半自動式組合せ秤の概略の側面図である。
【図２】図２は本考案の他の実施例で、（ａ）は本考案の半自動式組合せ秤を上から見た概略の平面図であり、（ｂ）は同半自動式組合せ秤の概略の正面図、（ｃ）は同半自動式組合せ秤の概略の側面図である。
【図３】図３は本考案の物品貯留供給台で、複数の各計量コンベヤ付き計量装置に対応して設けた被計量物供給用開口部を示す（ａ）は平面図、（ｂ）は同正面図、（ｃ）は同側面図である。
【図４】図４は本考案の物品貯留供給台の他の実施例であり、物品貯留供給台の底面に半円形の切り欠き部を設けたもので、（ａ）は平面図、（ｂ）は同正面図、（ｃ）は同側面図である。
【図５】図５は本考案の物品貯留供給台の他の実施例であり、物品貯留供給台の開口部がシュート形状となったもので、（ａ）は平面図、（ｂ）は同正面図、（ｃ）は同側面図である。
【図６】図６は本考案の物品貯留供給台の他の実施例であり、物品貯留供給台に脚を設けたもので、（ａ）は物品貯留供給台を底下面より見た図、（ｂ）は正面図、（ｃ）は側面図、（ｄ）は物品貯留供給台を計量コンベヤ付き計量装置の本体カバー上に設置した状態を示す図で、１０の斜線部分は脚座を示す。
【図７】図７は従来の被計量物品供給方法を示す模式図である。
【図８】図８は従来の被計量物品供給方法を示す模式図である。
【考案を実施するための形態】
【００２４】
以下、図面にしたがって本考案の実施の形態について説明する。
【００２５】
各図において共通の構成部位は同一番号で示す。１は半自動式組合せ秤本体部、２は計量コンベヤ、３は作業者、４は集合コンベヤ、５は物品貯留供給台、６は開口部、７は半円形の切り欠き開口部、８はシュート形状の開口部、９は脚部、５０は被計量物品である。
【００２６】
図１および図２に示すように本考案の半自動式組合せ秤は、作業者３が物品貯留供給台の被計量物品５０を手で取り複数の計量コンベヤ２に載せる。全ての計量コンベヤ２に被計量物品５０が載り終わると、各々コンベヤ毎に設けられている重量計量装置（図示していない）により各コンベヤ毎に載置された重量が計測される。周知のように組合せ秤はそれらの計測された重量値を種々組み合わせて目標重量に等しいか近い重量を構成している計量コンベヤを選択する。そして選択された計量コンベヤは駆動され載置している被計量物品を集合コンベヤ４に排出する。そして排出が終了した計量コンベヤは空になり停止する。
【００２７】
作業者３は、次の組み合わせに必要な重量を得るために被計量物５０を物品貯留供給台５から取り空になった計量コンベヤに載せる。重量計量装置（図示していない）は新たに載置された計量コンベヤ上の被計量物品の重量を計測して、再び組み合わせ演算を行い、計測された重量値を種々組み合わせて目標重量に等しいか近い重量を構成している計量コンベヤを選択する。そして選択された計量コンベヤは駆動され載置している被計量物品を集合コンベヤ４に排出する。そして排出が終了した計量コンベヤは空になり停止する。およそこのようなサイクルを繰り返す。
【００２８】
作業者３はこのような繰り返し作業を継続して行うが、組み合わせ選択の結果どの計量コンベヤ２が空になるか分からない、いつも同じ計量コンベヤ２が選択されるとは限らない。したがって、作業者は横一列に並んだ計量コンベヤ２を常に注目しており、空になった計量コンベヤを見つけて被計量物を供給してゆくことになる。
【００２９】
このように、連続した作業を継続するためには、楽な姿勢で作業ができる必要がある。つまり作業者に過度な動作を要求しないことである。例えば図７、図８に示すように作業者３の側方に材料コンテナ５１を配置した場合は、作業者は常に左右に体を捻り腕を振り回す動作となる。作業者は常に計量コンベヤ２上を注視しながら左右の材料コンテナに注目していなければならない。
【００３０】
本考案の組合せ秤では作業者３が物品貯留供給台５の中の被計量物品５０を手で取り複数の計量コンベヤ２に載せるので、作業者３は前方と手前とに注視しておればよい。また供給動作においても、本考案では図３に示すように各計量コンベヤ毎に対応して、物品貯留供給台５に開口部を設けたので供給動作がスムーズに行うことができる。
【００３１】
図４においては、物品貯留供給台５には各計量コンベヤ毎に対応して、物品貯留供給台５に開口部を設けさらにその開口部の底面を半円形の切り欠くことにより、作業者は被計量物品５０を手でつまむことなく手前あるいは前方へ指先で供給できる。
【００３２】
図５においては、物品貯留供給台５の開口部にシュートを設けたので計量コンベヤに被計量物品を供給する場合、被計量物品がシュートを滑落して計量コンベヤに載置され計量コンベヤに衝撃を与えない。
【図１】
0003174113.tif 000003
【図２】
0003174113.tif 000004
【図３】
0003174113.tif 000005
【図４】
0003174113.tif 000006
【図５】
0003174113.tif 000007
【図６】
0003174113.tif 000008
【図７】
0003174113.tif 000009
【図８】
0003174113.tif 000010
【手続補正書】
【提出日】平成23年12月28日(2011.12.28)
【手続補正１】
【補正対象書類名】実用新案登録請求の範囲
【補正対象項目名】全文
【補正方法】変更
【補正の内容】
【実用新案登録請求の範囲】
【請求項１】
供給される被計量物品を計量して搬送する複数の計量コンベヤ付き計量装置が互いに並列して配設されており、上記複数の計量コンベヤ付き計量装置よって計量された計量値に基づいて組合せ演算された結果、選択され排出された被計量物品を受けて一方向へ排出する集合コンベヤ装置を備えた組合せ秤であって、人手により上記複数の計量コンベヤ付き計量装置に被計量物品が供給できるように、上記集合コンベヤ装置を覆う形状の上記物品貯留供給台を上記複数の計量コンベヤ付き計量装置の本体カバー上部に設けたことを特徴とする半自動式組合せ秤。
【請求項２】
上記集合コンベヤ装置を覆う形状の上記物品貯留供給台は、上記複数の計量コンベヤ付き計量装置の本体カバー上に設置して設けられており、該物品貯留供給台の大きさは、長手方向の寸法と幅方向寸法および深さ方向寸法であって、上記複数の計量コンベヤ付き計量装置が互いに並列して配設された全幅方向の長さに相当する長手方向の寸法を有し、上記物品貯留供給台の該長手方向が上記複数の計量コンベヤ付き計量装置に対応しており、上記集合コンベヤ装置の幅寸法の少なくとも２倍の幅方向寸法を有し、更に、上記幅方向寸法の少なくとも４分の１の深さ方向寸法を有し、これら上記長手方向の寸法と上記幅方向寸法と上記深さ方向寸法とにより定まる容積を有する貯留部を形成し、該貯留部を有する物品貯留供給台を備えた請求項１に記載の半自動式組合せ秤。
【請求項３】
上記物品貯留供給台は上記複数の計量コンベヤ付き計量装置に被計量物品が供給できるように、上記物品貯留供給台の上記長手方向に上記複数の計量コンベヤに対応して切り欠き開口部を設けたことを特徴とする物品貯留供給台を備えた請求項１または２に記載の半自動式組合せ秤。
【請求項４】
上記物品貯留供給台は上記複数の計量コンベヤ付き計量装置に被計量物品が供給できるように、上記物品貯留供給台底面の上記長手方向に上記複数の計量コンベヤに対応して半円形の切り欠き開口部を設けたことを特徴とする物品貯留供給台を備えた請求項３に記載の半自動式組合せ秤。
【請求項５】
上記物品貯留供給台は上記複数の計量コンベヤ付き計量装置に被計量物品が供給できるように、上記物品貯留供給台の上記長手方向に上記複数の計量コンベヤに対応して切り欠き開口部が設けられており、上記切り欠き開口部から上記複数の計量コンベヤに向けて被計量物品が滑落して供給できるように各々シュート形状の開口部を設けたことを特徴とする物品貯留供給台を備えた請求項３に記載の半自動式組合せ秤。
【請求項６】
上記物品貯留供給台は、該物品貯留供給台の底面の少なくとも４個所に脚を設け、その脚により上記複数の計量コンベヤ付き計量装置の本体カバー上に設置する構造であって、上記計量装置の本体カバー上に位置決めプレートを設け、該位置決めプレートによって上記４個所の脚の下端が着脱容易に所定位置に設置可能な構造としたことを特徴とする物品貯留供給台を備えた請求項１または２に記載の半自動式組合せ秤。
【手続補正２】
【補正対象書類名】明細書
【補正対象項目名】００１０
【補正方法】変更
【補正の内容】
【００１０】
上述したような課題を解決するために成されたもので、第１の考案は、供給された被計量物品を計量して搬送する複数の計量コンベヤ付き計量装置が互いに並列して配設されており、上記複数の計量コンベヤ付き計量装置よって計量された計量値に基づいて組合せ演算された結果、選択され排出された被計量物品を受けて一方向へ排出する集合コンベヤ装置を備えた組合せ秤であって、人手により上記複数の計量コンベヤ付き計量装置に被計量物品が供給できるように、上記集合コンベヤ装置を覆う形状の上記物品貯留供給台を上記複数の計量コンベヤ付き計量装置の本体カバー上部に設けたことを特徴とした半自動式組合せ秤としている。
【手続補正３】
【補正対象書類名】明細書
【補正対象項目名】００１１
【補正方法】変更
【補正の内容】
【００１１】
この態様によると、上記複数の計量コンベヤ付き計量装置に被計量物品を供給できるように上記半自動式組合せ秤の複数の計量コンベヤ付き計量装置上部に物品貯留供給台を設けたので、作業者は体を捩るような動作をすることなく楽に長時間供給作業が継続できる。
【手続補正４】
【補正対象書類名】明細書
【補正対象項目名】００１２
【補正方法】変更
【補正の内容】
【００１２】
第２の考案は、上述した集合コンベヤ装置を覆う形状の上記物品貯留供給台は、集合コンベヤ装置を覆うように上記複数の計量コンベヤ付き計量装置の本体カバー上に設置して設けられており、上記物品貯留供給台の大きさは、長手方向の寸法と幅方向寸法および深さ方向寸法であって、上記複数の計量コンベヤ付き計量装置が互いに並列して配設された全幅方向の長さに相当する長手方向の寸法を有し、上記物品貯留供給台の該長手方向が上記複数の計量コンベヤ付き計量装置に対応しており、上記集合コンベヤ装置の幅寸法の少なくとも２倍の幅方向寸法を有し、更に、上記幅方向寸法の少なくとも４分の１の深さ方向寸法を有し、これら上記長手方向の寸法と上記幅方向寸法と上記深さ方向寸法とにより定まる容積を有する貯留部を形成し、該貯留部を有する物品貯留供給台を備えた半自動式組合せ秤である。
【手続補正５】
【補正対象書類名】明細書
【補正対象項目名】００２０
【補正方法】変更
【補正の内容】
【００２０】
第６の考案は、上記物品貯留供給台は、上記物品貯留供給台の底面に少なくとも４個所に脚を設け、その脚により上記複数の計量コンベヤ付き計量装置の本体カバー上に設置する構造であって、上記計量装置の本体カバー上に位置決めプレートを設け、該位置決めプレートによって上記４個所の脚の下端が着脱容易に所定位置に設置可能な構造としたことを特徴とする物品貯留供給台を備えた半自動式組合せ秤である。
【手続補正６】
【補正対象書類名】明細書
【補正対象項目名】００２１
【補正方法】変更
【補正の内容】
【００２１】
第６の考案の態様による物品貯留供給台は、計量コンベヤ付き計量装置の本体カバー上に着脱容易に設置できるため、計量装置の本体カバー上から容易に取り外し別の場所に運び充分に洗浄することができる。また、上記半自動式組合せ秤上に設置するときも位置決めプレートによって容易に所定位置に設置することができる。上記物品貯留供給台の材質は耐食性やサニタリの面からステンレスにすることが望ましいが、軽量であることや計量コンベヤの状況が確認しやすいことから透明樹脂材料とすることもできる。